(57)【要約】      （修正有）【課題】身体のテーピングする部位にある反応点（圧痛点その他、いわゆるツボ等）のような所望の点を、テーピングによる巻き圧を利用して簡便且つ確実に押圧刺激することのできる突起付き下貼り材を提供する。【解決手段】  身体へのテーピングにおいて、テーピングする部位の皮膚に貼付して使用するための下貼り材であって、皮膚に貼りつける側の基材表面に複数の突起物が所定の間隔で配列されて取り付けられており、配列された該突起物の間において基材表面に粘着剤層が設けられているものである、下貼り材。【選択図】図２
0003108724.tif 000002
【実用新案登録請求の範囲】
【請求項１】
身体へのテーピングにおいて、テーピングする部位の皮膚に貼付して使用するための下貼り材であって、皮膚に貼りつける側の基材表面に複数の突起物が所定の間隔で配列されて取り付けられており、配列された該突起物の間において該基材表面に粘着剤層が設けられているものである、下貼り材。
【請求項２】
該配列が、１又は複数の列を構成するようになされているものである、請求項１の下貼り材。  
【請求項３】
該配列が、相互に隣接した複数個の突起物よりなる群を単位としてなされているものである、請求項１又は２の下貼り材。
【請求項４】
該群が、２〜９個の突起物から構成されているものである、請求項３の下貼り材。
【請求項５】
該突起物の高さが１〜４ｍｍである、請求項１ないし４の何れかの下貼り材。
【請求項６】
該突起物が、その基部から先端に向かって減少する横断面のものである、請求項１ないし５の何れかの下貼り材。
【請求項７】
該突起物が、導電性材料で形成されているものである、請求項１ないし６の何れかの下貼り材。
【考案の詳細な説明】
【技術分野】
【０００１】
本考案は、身体のテーピングに際して、サポートテープの下に使用する下貼り材に関し、特に、テーピングが施されている間に、皮膚の特定点に局所的な押圧刺激を持続的に加えることのできる下貼り材に関する。
【背景技術】
【０００２】
スポーツにおいて、テーピングとは、関節その他を保護して怪我を予防し、又は怪我の際の応急処置に、或いは怪我による故障の再発防止やリハビリテーションの補助を目的として、競技者の関節、筋肉、靭帯、腱等に対し、皮膚の上から所定の仕方でテープを巻き付けて、固定や保持を行うことをいう。テーピング用のサポートテープ（すなわち、筋肉や関節を固定したり圧迫したりする役割を持つテープ）としては、片面に粘着剤層を備えた伸縮性のある又はない、平坦な細長い布製のものが広く用いられている。怪我からの回復期や、慢性的な故障を抱える場合等では、テーピングには、故障部位を適度に固定することで、関節が可動域を超えて動くのを妨げる等、無理な力が故障部位にかかることを防ぐことを通じて、故障の悪化を防止し回復を促進するとともに、故障部位をサポートすることによって痛みを和らげる働きがある。
【０００３】
このように、テーピングは、スポーツにおいて、怪我の防止、回復の促進、痛みの緩和という重要な役割を担っているが、平坦なサポートテープを用いる関係上、患部の固定・保持といった力学的作用に基づく効果以上に出ることは困難である。近年のスポーツ人口の増加に伴い、テーピングの効果を更に高める手段が求められていた。
【考案の開示】
【考案が解決しようとする課題】
【０００４】
上記背景の下で、本考案は、故障部位の痛みの緩和や血行改善、治癒の促進等を求めて、テーピング部位にある身体の反応点（圧痛点その他、いわゆるツボ等）のような所望の点を、テーピングによる巻き圧を利用して簡便且つ確実に押圧刺激することのできる手段を、また、押圧刺激と共に通電刺激することも可能にする手段をも提供することを目的とする。
【課題を解決するための手段】
【０００５】
本考案者は、間隔をあけて突起物を配列してあるシート状の基材に粘着剤層を設けておき、押圧刺激を加えたい点に突起物が一致するようにこれを貼着し、その上からテーピングを行うようにすれば、テーピング時に局所的な押圧刺激をその部位の所望の点に誰でも簡便に加えることができることを見出し、さらに検討を重ねて本考案を完成させた。
すなわち本考案は、以下のものを提供する。
（１）身体へのテーピングにおいて、テーピングする部位の皮膚に貼付して使用するための下貼り材であって、皮膚に貼りつける側の基材表面に複数の突起物が所定の間隔で配列されて取り付けられており、配列された該突起物の間において該基材表面に粘着剤層が設けられているものである、下貼り材。
（２）該配列が、１又は複数の列を構成するようになされているものである、上記（１）の下貼り材。  
（３）該配列が、相互に隣接した複数個の突起物よりなる群を単位としてなされているものである、上記（１）又は（２）の下貼り材。
（４）該群が、２〜９個の突起物から構成されているものである、上記（３）の下貼り材。
（５）該突起物の高さが１〜４ｍｍである、上記（１）ないし（４）の何れかの下貼り材。
（６）該突起物が、その基部から先端に向かって減少する横断面のものである、上記（１）ないし（５）の何れかの下貼り材。
（７）該突起物が、導電性材料で形成されているものである、上記（１）ないし（６）の何れかの下貼り材。
【考案の効果】
【０００６】
本考案によれば、テーピングを施した状態で、故障部位の反応点に所望の押圧刺激を簡単かつ持続的に加えることができるため、故障部位の回復促進や痛み除去等の効果を更に高めることができる。
【考案を実施するための最良の形態】
【０００７】
本明細書において、「反応点」とは、東洋医学における「経穴」（いわゆる「ツボ」。）その他の、物理的刺激に対して特異な身体反応を引き起こすことのできる点、及び、押圧したときにコリや圧痛、放散痛等を感じる点等のような、身体表面の点を広く含む。
【０００８】
本考案において、基材としては、例えば、従来テーピングにおいてサポートテープとして用いられているのと同様の、伸縮性のある又はない布（職布でも不織布でもよい）製のテープを用いることができるが、これに限られず。粘着剤層によって皮膚に直接貼る上で不都合の無い限り、任意の素材よりなる、テープ状やシート状のものを用いることができる。テープ状のものは巻いたものであっても無くてもよく、シート状のものは、正方形や長方形その他適宜の形状であってよい。
【０００９】
突起物は、基材表面に適宜の形態で、間隔をあけて配列することができ、例えば、個々の突起物を、間隔をあけて１又は複数の列（例えば略直線状の）を構成するように配列することができる。そのような列は、基材表面の広さに応じて、間隔をあけて多数設けることができ、例えば巻きテープ等のような細長い形状の場合、テープを横断する方向に間隔をあけて配列した突起物をよりなる列の多数を、所定の間隔をあけてテープの全長にわたって設けてもよく、又は、テープの長さ方向に、突起物を相互に間隔をあけて１又は複数の列を構成するように配列してもよい。テープを斜めに横断する方向に、間隔をあけて突起物を配してなる列を、所定の間隔をあけてテープの全長にわたって設けることもできる。正方形又は長方形等の形状のシートとする場合も、突起物は、シートの一つの辺に平行な１又は複数の列を構成するように配列することができ、また、斜め方向に１又は複数の平行な列を構成するように間隔をあけて配列することもできる。
【００１０】
本考案において、突起物は、個々のものを独立した単位として配列させてもよく、また隣接した複数個の突起物を１つの群として、群単位で配列させてもよい。群単位とするときは、２〜９個を１つの単位とするのが好ましい。例えば、９個の場合、縦３個×横３個で隣接させることができ、７個の場合中心の１個とこれを隣接して取り囲む６個とすることができ、４個の場合縦２個×横２個で隣接させることができるが、これらに限定されない。突起物を群単位で配列する場合、各群に突起物の頂点が複数あることから、身体の反応点を的確に捉え易いという利点がある。特に好ましいのは、縦２個×横２個で隣接させた４個の突起物を１群としてそれらを配列したものである。
【００１１】
突起物の高さは、テーピングしたときに所望の強さの押圧が得られるように、適宜定めればよい。余り低いと刺激が弱く、余り高いと刺激が強過ぎることとなるため、通常は、１〜４ｍｍであることが好ましい。
【００１２】
突起物の基部、すなわち基材表面に接し該面から立ち上がる部分の幅（円の場合外径、それ以外の場合最大径）も適宜であってよいが、通常は、高さ：基部の幅＝１：１〜１：２の範囲としておけばよい。
【００１３】
突起物は、皮膚表面を傷つけるほど尖っておらず、押圧するに適した形状のものであれば、適宜であってよい。通常は、基部から先端に向かって減少する断面積のものであることが好ましい。そのような形状の例として、円錐や角錐又はそれらの頂点付近を水平に切断又は丸めたもの、回転楕円体（球体を含む）の半分、放物面等が挙げられるが、これらに限定されない。また、そのような突起物は、個々に完全に独立したものとしてもよく、また、複数個（例えば２〜９個）が基部で相互に結合したものとしてもよい。
【００１４】
突起物は、皮膚にこれを押し当てたとき皮膚から受ける反力に対抗するだけの強度があればよく、例えば天然ゴム又は合成ゴム、ポリウレタン樹脂、アクリル樹脂その他の合成樹脂、セラミックス等を用いて形成することができるが、これに限られない。金属又は導電性の樹脂（導電性ゴム等）等の導電性材料を用いて形成することもでき、その場合、低周波その他の電気的出力を印加するための電極としても使用が可能となる。電極としての使用に際しては、低周波機器その他からの細い出力端子を基材を通して突起物の基部と基材との間に挿入することにより電気的接続を達成してしてもよく、また例えば、突起物の基部に、基材を貫通して突出する細いピンを設けておきこれを機器からの出力端子のクリップ等で挟むようにしてもよい。
【００１５】
突起物を基材表面に取り付けるための方法は特に限定されず、接着剤で基材表面に接着しても、また、基材表面に先に粘着剤層が設けられている場合には、粘着剤層に圧着することで取り付けてもよい。
【００１６】
基材表面の粘着剤層は、少なくとも、間隔をあけて配列された突起物の間に露出した基材表面に設けてあればよく、当該表面に粘着剤を塗布して必要程度に乾燥させることによって得られる。無論、粘着材層を利用して後から突起物を取り付ける場合には、基材の片面全体に粘着剤層を設けておけばよい。粘着剤としては、テーピング用サポートテープ、絆創膏、サージカルテープその他、皮膚に貼付される種々の製品で用いられる当業者に周知の粘着剤を適宜用いればよく、特に限定されない。また、突起物を基材表面に強く接着したときは、粘着剤を、基材表面だけでなく突起物の表面にまで塗布しておいてもよい。その場合、下貼り材の皮膚への貼り付けがより安定化するという利点がある。
【００１７】
本考案の下貼り材は、必要に応じ、適宜の剥離テープ又は剥離シートを粘着材層に重ね合わせたものであってよい。剥離テープ又は剥離シートとしては、キズテープ等や両面テープ等で従来から用いられているものと同様の、粘着剤層に対して非親和性の表面を有するものであればよく、素材は特に限定されない。基材の裏面が粘着剤層に対し低い付着性しか有しない場合には、剥離テープや剥離シートは不要である。
【００１８】
本考案の下貼り材は、テーピングに際して押圧刺激を加えたい部位がどこであるかに応じて、必要な広さ分だけを鋏などで切断して用いることができる。
【００１９】
本考案の下貼り材は、突起物を粘着剤層に粘着させることによって取り付けるタイプの場合には、粘着剤層を備えた基材と突起物とを別体としておき、使用時に本考案に従って基材表面に突起物を配列させて取り付けるようにしたものをも間接的に保護範囲に含むことが意図されている。
【実施例】
【００２０】
〔実施例１〕
図１は、本考案の実施例１の平面図を示す。図において、１は長いテープ状の基材であり、幅は例えば６ｃｍである。基材１の表面上にはポリウレタン樹脂よりなる多数の突起物２が、それ自身を単位として相互に間隔をあけて、複数の縦の列を構成するように配列されている。突起物２を配列した基材１は、使用前までは、ロール状に巻かれている。
【００２１】
図２は、本実施例の側面図を示す。図において、３は粘着剤層であり、本実施例においては、各突起物２は、同一の粘着剤層３上に配置され圧着されている。各突起物は、指でつまんで粘着剤層３から引き剥がすことは可能であるが、無理に剥がそうとしない限り自然には脱落しない強さで粘着されている。
【００２２】
〔実施例２〕
図３は、本考案の実施例２の平面図を示す。基材１及び各突起物２は実施例１と同様であるが、図に見られるように、本実施例では、各突起物２は、基材１の長手方向に２本の列を構成するように配列されている。
【００２３】
〔実施例３〕
図４は、本考案の実施例３の平面図を示す。基材１及び各突起物２は実施例１と同様であるが、図に見られるように、本実施例では、各突起物２は、基材１の長手方向に対して約４５度の角度をなす多数の斜めの列を構成するように配列されている。
【００２４】
〔実施例４〕
図５は、本考案の実施例４の平面図を示す。基材１及び各突起物２は実施例１と同様であるが、図に見られるように、本実施例では、突起物２は、隣接した４個よりなる群を単位として、群間に間隔をあけて多数の縦方向の直線状の列（又は長手方向の３列の直線状の列）を構成するように配列されている。
【００２５】
〔実施例５〕
図６は、本考案の実施例５の平面図を示す。基材１及び各突起物２は実施例１と同様である。図に見られるように、本実施例では、突起物２が、隣接した４個よりなる群を単位として配列されている点に関しては実施例４と同様であるが、中央の長手方向の直線状の列を構成する突起物群相互の間隔が、これと平行にその両側に直線状の列を構成するように配列された突起物群の相互の間隔の約半分である点で異なっている。
【００２６】
〔突起物実施例１〕
図７は、突起物の一実施例を示す斜視図である。本実施例では、突起物２は、ポリウレタン樹脂製の中実の成形品であり、略円形の輪郭を有する基部５と、放物面状の上部表面を有し、基部５の直径は約４ｍｍであり、頂点までの高さは約２ｍｍである。
【００２７】
〔突起物実施例２〕
図８は、実施例４及び５に見られるように、隣接した４個の突起物２を１群とする場合の、群内における各突起物２の配置の一例を示す斜視図である。図では、各突起物は、基部５の外周が接するように配置されているが、これらの突起物２は、基部５が接触部分で融合されて一体化したものであってもよい。
【００２８】
〔突起物実施例３〕
図９は、突起物の別の実施例を示す斜視図である。本実施例では、突起物２２は、カーボン微粒子を練り込んだ導電性ゴム製の中実の成形品であり、略正方形の輪郭を有する基部２５を有し、基部２５付近においては四角錐に近い形状であるが、頂点に近づくにつれ丸みを帯びた形状へと移行している。基部２５は１辺約５ｍｍであり、頂点までの高さは２．５ｍｍである。
【００２９】
〔突起物実施例４〕
図１０は、図９に記載の突起物２２を、図５又は６に見られるように４個隣接させて１群とする場合の、群内における各突起物２２の配置の一例を示す斜視図である。図では、独立した各突起物が、基部の辺が接するように配置されているが、これらの突起物２２は、基部が接触部分で融合されて一体化したものであってもよい。
【産業上の利用可能性】
【００３０】
本考案によれば、テーピング部位にある所望の反応点に押圧刺激を簡単かつ持続的に加えることができ、テーピングによる故障部位の回復促進や痛み除去等の効果を高めることの可能な、テーピング用下貼り材を提供することができる。
【図面の簡単な説明】
【００３１】
【図１】本考案の実施例１の平面図
【図２】本考案の実施例１の側面図
【図３】本考案の実施例２の平面図
【図４】本考案の実施例３の平面図
【図５】本考案の実施例４の平面図
【図６】本考案の実施例５の平面図
【図７】突起物の一実施例を示す斜視図
【図８】１群の突起物の配置の一例を示す斜視図
【図９】突起物の一実施例を示す斜視図
【図１０】１群の突起物の配置の一例を示す斜視図
【符号の説明】
【００３２】
１＝基材
２＝突起物
３＝粘着剤層
５＝基部
２２＝突起物
２５＝基部
【図１】
0003108724.tif 000003
【図２】
0003108724.tif 000004
【図３】
0003108724.tif 000005
【図４】
0003108724.tif 000006
【図５】
0003108724.tif 000007
【図６】
0003108724.tif 000008
【図７】
0003108724.tif 000009
【図８】
0003108724.tif 000010
【図９】
0003108724.tif 000011
【図１０】
0003108724.tif 000012